(57)【要約】【課題】複数の撮影装置で撮影した撮影画像を撮影順に並べることが可能な撮影装置を提供することを目的とする。【解決手段】日中と夜間の時刻領域を決定してＲＯＭに記憶すると共に、日中の最小輝度ＥＶｔｈ１と夜間の最大輝度ＥＶｔｈ２を決定してＲＯＭに記憶しておく。例えば、時刻領域は、１０：００〜１４：００を日中の時刻領域、２２：００〜２：００を夜間の時刻領域とする。そして、撮影の際の絞り値Ｆとシャッター速度Ｓから輝度ＥＶを計算して、カメラの現在時刻が日中である場合には、算出した輝度ＥＶがＥＶｔｈ１以下か否かを判定し、判定が肯定の場合に時計がずれていることを警告する。また、カメラの現在時刻が夜間である場合には、算出した輝度ＥＶがＥＶｔｈ２以上か否かを判定し、判定が肯定の場合に、時計がずれていることを警告する。【選択図】図３
2009086035.tif 000002
【特許請求の範囲】
【請求項１】
撮影時刻を記録するための時計と、
撮影時の露出情報に基づいて撮影輝度を算出する算出手段と、
時間帯毎の輝度を予め定めて記憶する記憶手段と、
前記算出手段によって算出された撮影輝度に対応する前記記憶手段に記憶された時間帯と、前記時計の時刻と、を比較する比較手段と、
前記比較手段の比較結果が異なる場合に、前記時計の設定を報知する報知手段と、
を備えた撮影装置。
【請求項２】
前記算出手段は、撮影対象の予め定めた領域の色成分の値に基づいて空領域を判定し、判定した空領域の撮影輝度を算出することを特徴とする請求項１に記載の撮影装置。
【請求項３】
撮影時刻を記録するための時計と、
他の撮影装置に設定された時刻情報を取得する取得手段と、
前記取得手段によって取得された前記時刻情報と、前記時計の時刻と、を比較する比較手段と、
前記比較手段の比較結果が異なる場合に、前記時計の設定を報知する報知手段と、
を備えた撮影装置。
【請求項４】
他の撮影装置から撮影順に発生する撮影番号を取得する取得手段と、
撮影の際に前記撮影番号を撮影画像に付与する付与手段と、
前記付与手段によって撮影画像に付与された前記撮影番号を他の撮影装置へ出力する出力手段と、
前記取得手段によって他の撮影装置から前記撮影番号を取得した場合に、対応する撮影番号の付与手段による付与を禁止する禁止手段と、
を備えた撮影装置。
【請求項５】
撮影時刻を記録するための時計と、
予め定めた基準の撮影装置から時刻情報を取得する取得手段と、
前記取得手段によって取得された前記時刻情報になるように、前記時計を修正する修正手段と、
を備えた撮影装置。
【請求項６】
前記取得手段は、基準の撮影装置が複数存在する場合に、基準の撮影装置の中で多くの撮影装置に時刻情報を提供している基準の撮影装置から時刻情報を取得することを特徴とする請求項５に記載の撮影装置。
【発明の詳細な説明】
【技術分野】
【０００１】
本発明は、撮影装置にかかり、特に、撮影時に撮影順が分かる情報を付加する撮影装置に関する。
【背景技術】
【０００２】
デジタルカメラ等の撮影装置には、撮影画像の日時を記録するために時計を備えており、該時計の設定日時が撮影画像に付与されるようになっている。
【０００３】
撮影装置に設けられた時計に関する技術としては、例えば、特許文献１〜４に記載の技術等が提案されている。
【０００４】
特許文献１に記載の技術では、電池残量や時計駆動総時間等から判断した外部のデバイスの時刻情報の正確度及び時刻情報と、自身の持つ時刻情報の正確度及び時刻情報と、を用いて比較し、時刻情報が正確であるデバイスの時刻情報に自身の持つ時刻情報を修正することが提案されている。
【０００５】
特許文献２に記載の技術では、複数のカメラと、これら複数のカメラで撮影された複数の映像時間軸を揃える情報処理装置と、が提案されており、具体的には、情報処理装置の時計を用いてカメラの時計を修正し、修正量に応じて撮影画像の時刻情報を修正することが記載されている。
【０００６】
特許文献３に記載の技術では、クレードルでＧＰＳ情報を受信して、時刻情報を抽出し、抽出した時刻情報をデジタルカメラへ送信して、時刻を修正することが提案されている。
【０００７】
特許文献４に記載の技術では、外部機器からの時刻情報を受信して、内蔵時計の時刻を修正することが提案されている。
【特許文献１】特開２００３−１６１７９１号公報
【特許文献２】特開２００３−７８８６４号公報
【特許文献３】特開２００５−１４７８８５号公報
【特許文献４】特開２００６−２５０６３８号公報
【発明の開示】
【発明が解決しようとする課題】
【０００８】
しかしながら、特許文献１に記載の技術では、時刻の正確度は時々刻々と変化するため、３台以上の撮影装置同士で時刻合わせをする際に、全て同時刻にならない可能性がある。
【０００９】
また、特許文献２に記載の技術では、時計が正常動作している機器と接続しないと意味を成さない、という問題がある。
【００１０】
また、特許文献３に記載の技術では、クレードルに接続しないで長時間放置した場合には時刻が狂ってしまうことが考えられる。
【００１１】
さらに、特許文献４に記載の技術では、どの機器が正確な時刻を持っているのか判断することができない、という問題がある。
【００１２】
一方、撮影装置の持つ時刻が間違っていると、グループで撮影を行って、撮影画像を持ち寄る際に、撮影時刻順序がばらばらになり、時系列に撮影画像を並べることができなくなってしまう。
【００１３】
本発明は、上記事実を考慮して成されたもので、複数の撮影装置で撮影した撮影画像を撮影順に並べることが可能な撮影装置を提供することを目的とする。
【課題を解決するための手段】
【００１４】
上記目的を達成するために請求項１に記載の発明は、撮影時刻を記録するための時計と、撮影時の露出情報に基づいて撮影輝度を算出する算出手段と、時間帯毎の輝度を予め定めて記憶する記憶手段と、前記算出手段によって算出された撮影輝度に対応する前記記憶手段に記憶された時間帯と、前記時計の時刻と、を比較する比較手段と、前記比較手段の比較結果が異なる場合に、前記時計の設定を報知する報知手段と、を備えることを特徴としている。
【００１５】
請求項１に記載の発明によれば、撮影画像に対して時計で計時した時刻を記録することが可能である。
【００１６】
また、算出手段では、撮影時の露出情報に基づいて撮影輝度が算出される。例えば、撮影時の絞りやシャッタ速度等を用いて撮影輝度を算出することができる。
【００１７】
記憶手段では、時間対毎の輝度が予め記憶されている。例えば、所定の時間帯の日中の輝度や夜間の輝度が記憶される。
【００１８】
また、比較手段では、算出手段によって算出された撮影輝度に対応する記憶手段に記憶された時間帯が読み出され、該時間帯と、時計の時刻とが比較される。
【００１９】
そして、報知手段では、比較手段の比較結果が異なる場合、例えば、時計が日中の時刻なのに撮影画像が夜間に対応する場合やその逆の場合等に、時計の設定が報知される。すなわち、撮影画像の時間帯と時計の時刻が大幅に異なる場合には、時計が合っていないことが報知されるので、ユーザが時計を設定することで、正確な撮影時刻を記録することが可能となり、撮影画像を撮影順に並べることが可能となる。
【００２０】
なお、算出手段は、請求項２に記載の発明のように、撮影対象の予め定めた領域の色成分の値に基づいて空領域を判定し、判定した空領域の撮影輝度を算出するようにしてもよい。
【００２１】
請求項３に記載の発明は、撮影時刻を記録するための時計と、他の撮影装置に設定された時刻情報を取得する取得手段と、前記取得手段によって取得された前記時刻情報と、前記時計の時刻と、を比較する比較手段と、前記比較手段の比較結果が異なる場合に、前記時計の設定を報知する報知手段と、を備えることを特徴としている。
【００２２】
請求項３に記載の発明によれば、撮影画像に対して時計で計時した時刻を記録することが可能である。
【００２３】
取得手段では、他の撮影装置に設定された時刻情報が取得される。例えば、ブルートゥース等の無線通信によって他の撮影装置に設定された時刻情報を取得することができる。
【００２４】
また、比較手段では、取得手段によって取得された時刻情報と、時計の時刻と、が比較される。
【００２５】
そして、報知手段では、比較手段の比較結果が異なる場合に、時計の設定が報知される。すなわち、他の撮影装置に設定された時刻と異なる時刻が時計に設定されていた場合には時刻が狂っている可能性があるので、ユーザーに報知される。これによって、ユーザが時計を設定することで、正確な撮影時刻を記録することが可能となり、撮影画像を撮影順に並べることが可能となる。
【００２６】
請求項４に記載の発明は、他の撮影装置から撮影順に発生する撮影番号を取得する取得手段と、撮影の際に前記撮影番号を撮影画像に付与する付与手段と、前記付与手段によって撮影画像に付与された前記撮影番号を他の撮影装置へ出力する出力手段と、前記取得手段によって他の撮影装置から前記撮影番号を取得した場合に、対応する撮影番号の付与手段による付与を禁止する禁止手段と、を備えることを特徴としている。
【００２７】
請求項４に記載の発明によれば、取得手段では、他の撮影装置から撮影順に発生する初恵委番号が取得される。例えば、取得手段は撮影画像に付与されるリファレンス番号等の撮影番号を他の撮影装置から取得する。
【００２８】
付与手段では、撮影の際に撮影番号を撮影画像に付与される。すなわち、付与手段は撮影画像にリファレンス番号等の撮影番号を付与する。
【００２９】
また、出力手段では、付与手段によって撮影画像の付与された撮影画像が他の撮影装置へ出力される。
【００３０】
そして、禁止手段では、取得手段によって他の撮影装置から撮影番号を取得した場合に、対応する撮影番号の付与手段による付与が禁止される。すなわち、複数の撮影装置間で同一の撮影番号がなくなる。従って、複数の撮影装置によって撮影した撮影画像を撮影順に並べることが可能となる。
【００３１】
請求項５に記載の発明は、撮影時刻を記録するための時計と、予め定めた基準の撮影装置から時刻情報を取得する取得手段と、前記取得手段によって取得された前記時刻情報になるように、前記時計を修正する修正手段と、を備えることを特徴としている。
【００３２】
請求項５に記載の発明によれば、撮影画像に対して時計で計時した時刻を記録することが可能である。
【００３３】
取得手段では、予め定めた基準の撮影装置から時刻情報が取得される。例えば、ブルートゥース等の無線通信によって予め定めた基準の撮影装置に設定された時刻情報を取得することができる。
【００３４】
また、修正手段では、取得手段によって取得された時刻情報になるように、時計の時刻が修正される。
【００３５】
すなわち、基準の撮影装置の時刻と同じ時刻に設定されるので、当該機能を有する撮影装置で撮影した撮影画像の時刻は統一され、撮影順が前後することがなくなる。従って、撮影画像を撮影順に並べることが可能となる。
【００３６】
なお、基準の撮影装置が複数存在する場合には、請求項６に記載の発明のように、取得手段が、基準の撮影装置が複数存在する場合に、基準の撮影装置の中で多くの撮影装置に時刻情報を提供している基準の撮影装置から時刻情報を取得するようにしてもよい。
【発明の効果】
【００３７】
以上説明したように本発明によれば、複数の撮影装置によって撮影された撮影画像を撮影順に並べることが可能となる、という効果がある。
【発明を実施するための最良の形態】
【００３８】
以下、図面を参照して本発明の実施の形態の一例を詳細に説明する。なお、本実施の形態はデジタルカメラに本発明を適用したものである。
【００３９】
図１は、本発明の実施の形態に係わるデジタルカメラの外観を示す図である。
【００４０】
図１に示すように、デジタルカメラ１０の正面には、被写体像を結像させるためのレンズ１２と、撮影する被写体の構図を決定するために用いられる光学式のファインダ１４と、周囲が暗い場合に発光する撮影用発光装置としてのフラッシュ１６と、が備えられている。また、デジタルカメラ１０の上面には、撮影を実行する際にユーザによって押圧操作されるレリーズボタン１８Ａと、電源スイッチ１８Ｂと、が備えられている。
【００４１】
なお、本実施の形態に係るレリーズボタン１８Ａは、中間位置まで押下される状態（以下、「半押し状態」という。）と、当該中間位置を超えた最終押下位置まで押下される状態（以下、「全押し状態」という。）と、の２段階の押圧操作が、内蔵された２つのスイッチにより検出可能に構成されている。
【００４２】
そして、本実施の形態に係るデジタルカメラ１０では、レリーズボタン１８Ａを半押し状態にすることによりＡＥ（Automatic Exposure、自動露出）機能が働いて露出状態（シャッター速度、絞りの状態）が設定された後、ＡＦ機能が働いて合焦制御され、その後、引き続き全押し状態にすると露光（撮影）が行われる。
【００４３】
一方、デジタルカメラ１０の背面には、上述したファインダ１４の接眼部と、撮影によって得られたデジタル画像データにより示される被写体像や各種メニュー画面、メッセージ等を表示するための液晶ディスプレイ（以下、「ＬＣＤ」という。）２０と、静止画像の撮影を行うモードである静止画撮影モード、動画像の撮影を行うモードである動画撮影モード、及び被写体像をＬＣＤ２０に表示（再生）するモードである再生モードの何れかのモードに設定するためにスライド操作されるモード切替スイッチ１８Ｃと、ＬＣＤ２０の表示領域における上・下・左・右の４方向の移動方向を示す４つの矢印キー及び当該４つの矢印キーの中央部に位置された決定キーの合計５つのキーを含んで構成された十字カーソルボタン１８Ｄと、が備えられている。
【００４４】
また、デジタルカメラ１０の背面には、ＬＣＤ２０にメインメニュー画面を表示する際に押圧操作されるメニューキー１８Ｅと、撮影時に被写体像のズーミング（拡大及び縮小）を行う際に操作されるズームスイッチ１８Ｆと、が備えられている。なお、ズームスイッチ１８Ｆは、同図の‘Ｔ’の位置に対応し、かつ被写体像を拡大するときに操作されるテレ・スイッチと、同図の‘Ｗ’の位置に対応し、かつ被写体像を縮小するときに操作されるワイド・スイッチと、により構成されている。
【００４５】
続いて、本発明の実施の形態に係わるデジタルカメラ１０の電気系の構成について説明する。図２は、本発明の実施の形態に係わるデジタルカメラ１０の電気系の構成を示すブロック図である。
【００４６】
図２に示すように、デジタルカメラ１０は、上述したレンズ１２を含んで構成された光学ユニット２２と、レンズ１２の光軸後方に配設された電荷結合素子（以下、「ＣＣＤ」という。）２４と、相関二重サンプリング回路（以下、「ＣＤＳ」という。）２６と、入力されたアナログ信号をデジタルデータに変換するアナログ／デジタル変換器（以下、「ＡＤＣ」という。）２８と、を含んで構成されており、ＣＣＤ２４の出力端子はＣＤＳ２６の入力端子に、ＣＤＳ２６の出力端子はＡＤＣ２８の入力端子に、各々接続されている。
【００４７】
ＣＤＳ２６による相関二重サンプリング処理は、固体撮像素子の出力信号に含まれるノイズ（特に熱雑音）等を軽減することを目的として行い、固体撮像素子の１画素毎の出力信号に含まれるフィードスルー成分レベルと画素信号成分レベルとの差をとることにより正確な画素データを得る。
【００４８】
一方、デジタルカメラ１０は、所定容量のラインバッファを内蔵すると共に入力されたデジタル画像データを後述するＶＲＡＭ３８の所定領域に直接記憶させる制御を行う画像入力コントローラ３０と、デジタル画像データに対して各種画像処理を施す画像信号処理回路３２と、所定の圧縮形式でデジタル画像データに圧縮処理を施す一方、圧縮処理されたデジタル画像データに伸張処理を施す圧縮・伸張処理回路３４と、デジタル画像データにより示される画像やメニュー画面等をＬＣＤ２０に表示させるための信号を生成してＬＣＤ２０に供給する表示制御回路３６と、を備えている。なお、画像入力コントローラ３０の入力端子はＡＤＣ２８の出力端子に接続されている。
【００４９】
また、デジタルカメラ１０は、デジタルカメラ１０全体の動作を司るＣＰＵ（中央処理装置）４０と、デジタルカメラ１０の各種機能を動作させるためのプログラムや設定値等が予め記憶されたＲＯＭ４２と、ＡＦ機能を働かせるために必要とされる物理量（本実施の形態では、ＣＣＤ２４による撮像によって得られた画像の輝度の高周波成分を示すＡＦ評価値。）を検出するＡＦ検出回路４４と、ＡＥ機能及びＡＷＢ（Automatic White Balance）機能を働かせるために必要とされる物理量（本実施の形態では、ＣＣＤ２４による撮像によって得られた画像の明るさを示す評価値。）を検出するＡＥ・ＡＷＢ検出回路４６と、を備えている。
【００５０】
更に、デジタルカメラ１０は、ＣＰＵ４０による各種処理の実行時のワークエリア等として用いられるＳＤＲＡＭ（Synchronous Dynamic Random Access Memory）により構成されたメモリ４８と、主として撮影により得られたデジタル画像データを記憶するＶＲＡＭ（Video RAM）３８と、スマートメディア（Smart Media(登録商標)）により構成された記録メディア５２をデジタルカメラ１０でアクセス可能とするためのメディアコントローラ５０と、外部のデジタルカメラ等と無線通信（例えば、ブルートゥース等）するための外部通信部６２と、デジタルカメラ１０の電源となるバッテリの充電量を検出する充電量検出回路６４と、を備えている。
【００５１】
以上の画像入力コントローラ３０、画像信号処理回路３２、圧縮・伸張処理回路３４、表示制御回路３６、ＣＰＵ４０、ＲＯＭ４２、ＡＦ検出回路４４、ＡＥ・ＡＷＢ検出回路４６、メモリ４８、ＶＲＡＭ３８、メディアコントローラ５０、外部通信部６２、及び充電量検出回路６４は、各々バス５４を介して相互に接続されている。
【００５２】
従って、ＣＰＵ４０は、画像入力コントローラ３０、画像信号処理回路３２、圧縮・伸張処理回路３４、及び表示制御回路３６の各々の作動の制御と、ＡＦ検出回路４４及びＡＥ・ＡＷＢ検出回路４６により検出された物理量の取得と、メモリ４８及びＶＲＡＭ３８へのアクセスと、メディアコントローラ５０を介した記録メディア５２へのアクセスと、を各々行うことができる。
【００５３】
一方、デジタルカメラ１０には、主としてＣＣＤ２４を駆動させるためのタイミング信号を生成してＣＣＤ２４に供給するタイミングジェネレータ５６が設けられている。当該タイミングジェネレータ５６の入力端子はＣＰＵ４０に、出力端子はＣＣＤ２４に各々接続されており、ＣＣＤ２４の駆動は、ＣＰＵ４０によりタイミングジェネレータ５６を介して制御される。
【００５４】
更に、ＣＰＵ４０はモータ駆動部５８の入力端子に接続され、モータ駆動部５８の出力端子は光学ユニット２２に備えられた焦点調整モータ、ズームモータ及び絞り駆動モータに接続されている。
【００５５】
本実施の形態に係るレンズ１２は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、焦点調整モータ、ズームモータ及び絞り駆動モータは各々ＣＰＵ４０の制御下でモータ駆動部５８から供給された駆動信号によって駆動される。
【００５６】
ＣＰＵ４０は、光学ズーム倍率を変更する際にはズームモータを駆動制御してレンズ１２の焦点距離を変化させる。
【００５７】
また、ＣＰＵ４０は、ＣＣＤ２４による撮像によって得られた画像のコントラストが最大となるように上記焦点調整モータを駆動制御することによって合焦制御を行う。すなわち、本実施の形態に係るデジタルカメラ１０では、合焦制御として、読み取られた画像のコントラストが最大となるようにレンズの位置を設定する、所謂ＴＴＬ（Through The Lens）方式を採用している。
【００５８】
更に、上述のレリーズボタン１８Ａ、電源スイッチ１８Ｂ、モード切替スイッチ１８Ｃ、十字カーソルボタン１８Ｄ、メニューキー１８Ｅ及びズームスイッチ１８Ｆを含む操作部１８はＣＰＵ４０に接続されており、ＣＰＵ４０は、これらの操作部１８に含まれる各部に対する操作状態を常時把握できる。
【００５９】
ところで、本発明の実施の形態に係わるデジタルカメラ１０では、撮影画像に日時を記録するためにＲＴＣ（Real Time Clock）６０がＣＰＵ４０に接続されており、ＲＴＣ６０によって時間を計時して、撮影画像に付加するようになっている。
【００６０】
しかしながら、ＲＴＣ６０の時刻が狂っていると、複数のデジタルカメラ１０で撮影した撮影画像を撮影順に並べることができなくなってしまう。そこで、以下に説明する各実施形態では、複数のデジタルカメラで撮影された撮影画像を順番に並べることができるようにした例を説明する。
【００６１】
（第１実施形態）
本実施形態では、ＲＴＣ６０の時刻が極端にずれている場合に、ユーザに報知するようにしたものである。
【００６２】
本実施形態は、図３に示すように、夜間での撮影の際に、例えば、ＲＴＣ６０の時刻が２３：００に設定されていた場合には警告せず、１１：３０に設定されていた場合には警告し、日中での撮影の際に、ＲＴＣ６０の時刻が２３：００に設定されていた場合には警告し、１１：３０に設定されていた場合には警告しないようにする。
【００６３】
詳細には、メーカーがデジタルカメラ１０を出荷する前に、日中と夜間の時刻領域を決定してＲＯＭ４２に記憶すると共に、日中の最小輝度ＥＶｔｈ１と夜間の最大輝度ＥＶｔｈ２を決定してＲＯＭ４２に記憶しておく。例えば、時刻領域は、１０：００〜１４：００を日中の時間帯、２２：００〜２：００を夜間の時間帯とし、それぞれの時間帯毎の輝度を記憶する。
【００６４】
そして、デジタルカメラ１０を起動して撮影等を行うためにスルー画像を表示する際に、ＣＰＵ４０の制御によって露出動作を行うが、この時の絞り値Ｆとシャッター速度Ｓから、以下の式を用いて輝度ＥＶを計算する。
【００６５】
ＥＶ＝ｌｏｇ２（Ｆ２・Ｓ−１）
【００６６】
そして、ＲＴＣ６０の現在時刻が日中である場合には、算出した輝度ＥＶがＥＶｔｈ１以下か否かをＣＰＵ４０が判定し、判定が肯定された場合には、時計がずれていることをＬＣＤ２０等に表示するなどして警告する。また、ＲＴＣ６０の現在時刻が夜間である場合には、算出した輝度ＥＶがＥＶｔｈ２以上か否かを判定し、判定が肯定された場合に、時計がずれていることをＬＣＤ２０等に表示するなどして警告する。
【００６７】
続いて、本発明の第１実施形態に係わるデジタルカメラで行われる時刻警告処理について説明する。図４は、本発明の第１実施形態に係わるデジタルカメラを起動する際にＣＰＵで行われる時刻警告処理の流れの一例を示すフローチャートである。なお、当該フローチャートは、操作部１８の操作によって時刻警告モードが予め選択されている場合に行われるものとしてもよい。
【００６８】
まずステップ１００では、予め決定した日中と夜間の時刻領域がＲＯＭ４２から読み出されてステップ１０２へ移行する。
【００６９】
ステップ１０２では、予め決定した日中の最小輝度ＥＶｔｈ１と夜間の最大輝度ＥＶｔｈ２がＲＯＭ４２から読み出されてステップ１０４へ移行する。
【００７０】
ステップ１０４では、スルー画像表示が行われてステップ１０６へ移行する。すなわち、ＣＣＤ２４によって撮像された画像が表示制御回路３６によってＬＣＤ２０に表示される。なお、この時、絞り値Ｆとシャッタ速度Ｓが決定される。
【００７１】
ステップ１０６では、絞り値Ｆとシャッター速度Ｓから輝度ＥＶが上述の式によって算出されてステップ１０８へ移行する。
【００７２】
ステップ１０８では、ＲＴＣ６０の現在時刻が日中か否か判定される。該判定は、ＲＴＣ６０の時刻がＲＯＭ４２から読み出した日中の時刻領域内か否かを判定し、該判定が肯定された場合にはステップ１１０へ移行し、否定された場合にはステップ１１４へ移行する。
【００７３】
ステップ１１０では、算出した輝度ＥＶがＥＶｔｈ１以下か否か判定され、該判定が肯定された場合にはステップ１１２へ移行し、否定された場合には一連の時刻警告処理を終了する。
【００７４】
ステップ１１２では、時計を設定するよう報知されて時刻警告処理を終了する。例えば、ＬＣＤ２０に時計を設定する旨を表示したり、時計があってないことを表す表示を行う。これによって、極端に時刻がずれている場合には、時刻修正をユーザに促すことができる。従って、撮影前にユーザによって時刻が修正されれば、複数のデジタルカメラで撮影された撮影画像を順番に並べることが可能となる。
【００７５】
一方、ステップ１１４では、ＲＴＣ６０の現在時刻が夜間か否か判定される。該判定は、ＲＴＣ６０の時刻がＲＯＭ４２から読み出した夜間の時刻領域内か否かを判定し、該判定が肯定された場合にはステップ１１６へ移行し、否定された場合には一連の時刻警告処理を終了する。
【００７６】
ステップ１１６では、算出した輝度ＥＶがＥＶｔｈ２以上か否か判定され、該判定が肯定された場合にはステップ１１２へ移行し、否定された場合には一連の時刻警告処理を終了する。
【００７７】
（第２実施形態）
第２実施形態では、外部通信部６２によって２台以上のデジタルカメラと通信することで、各デジタルカメラの時刻情報を取得し、ＲＴＣ６０の時刻と比較して他のデジタルカメラに対して時刻が一定時間以上ずれていた場合に、ユーザに報知するようにしたものである。
【００７８】
本実施形態では、図５に示すように、例えば、カメラＡがカメラＢ、Ｃの時刻情報を外部通信部６２によって取得して、他のカメラの時刻と一定時間（例えば、２時間）以上ずれていた場合に、ユーザに報知する。図５の例では、カメラＡの時刻が１１：０３で、カメラＢの時刻が１３：０８で、カメラＣの時刻が１３：０９であるので、２時間以上ずれているので、カメラＡのユーザに報知する。
【００７９】
詳細には、デジタルカメラ１０の出荷時または撮影動作前に予め時刻差分閾値を決めてＲＯＭ４２やＶＲＡＭ３８等に記憶しておく。なお、時刻差分閾値は、自分のカメラと他のカメラのとの間で時刻差分がこの閾値以上の場合に警告を出すための閾値である。
【００８０】
そして、デジタルカメラ１０起動後に、他のカメラが近くにあるか否かをブルートゥース等の通信手段を用いて確認し、近くにあった場合は他のカメラの時刻を無線通信等によって取得して、取得した他のカメラの時刻と自分のカメラの時刻の差分が、時刻差分閾値以上だった場合には、時計がずれていることをＬＣＤ２０等に表示するなどして警告する。
【００８１】
続いて、本発明の第２実施形態に係わるデジタルカメラで行われる時刻差警告処理について説明する。図６は、本発明の第２実施形態に係わるデジタルカメラを起動する際にＣＰＵ４０で行われる時刻差警告処理の流れの一例を示すフローチャートである。なお、当該フローチャートは、操作部１８の操作によって時刻差警告モードが予め選択されている場合に行われるようにしてもよい。
【００８２】
まずステップ２００では、予め設定した時刻差閾値がＲＯＭ４２から読み出されてステップ２０２へ移行する。
【００８３】
ステップ２０２では、他のデジタルカメラが２以上近くにあるか否か判定される。該判定は、例えば、外部通信部６２から所定の信号を出力して、応答信号を受信したか否か等を判定し、該判定が肯定された場合にはステップ２０４へ移行し、否定された場合には一連の時刻差警告処理を終了する。
【００８４】
ステップ２０４では、他のデジタルカメラの時刻が外部通信部６２を介して取得されてステップ２０６へ移行する。
【００８５】
ステップ２０６では、取得した時刻と自分のＲＴＣ６０の時刻との時刻差が予めＲＯＭ４２やＶＲＡＭ３８等に記憶された時刻差閾値以上か否か判定され、該判定が肯定された場合にはステップ２０８へ移行し、否定された場合には一連の時刻差警告処理を終了する。
【００８６】
ステップ２０８では、さらに他のデジタルカメラの時刻が外部通信部６２を介して取得されてステップ２１０へ移行する。
【００８７】
ステップ２１０では、取得した時刻と自分のＲＴＣ６０の時刻との時刻差が予めＲＯＭ４２やＶＲＡＭ３８等に記憶された時刻差閾値以上か否か判定され、該判定が肯定された場合にはステップ２１２へ移行し、否定された場合には一連の時刻差警告処理を終了する。
【００８８】
ステップ２１２では、時計を設定するよう報知されて時刻警告処理を終了する。例えば、ＬＣＤ２０に時計を設定する旨を表示したり、時計があってないことを表す表示を行う。これによって、極端に時刻がずれている場合には、時刻修正をユーザに促すことができる。従って、ユーザによって時刻が修正されれば、複数のデジタルカメラで撮影された撮影画像を順番に並べることが可能となる。
【００８９】
なお、本実施形態では、他のカメラとの時刻差が所定時間以上の場合に警告することによってユーザに報知するようにしたが、これに限るものではなく、例えば、外部通信部６２を介して他のカメラの時刻を取得して、自カメラのＲＴＣ６０を修正するようにしてもよい。
【００９０】
（第３実施形態）
第３実施形態では、撮影時に撮影順に順次各撮影画像に付与するリファレンス番号を複数のデジタルカメラで重複しないようにして、複数のデジタルカメラの撮影画像を撮影順に並べることを可能にしたものである。
【００９１】
本実施形態では、図７に示すように、例えば、カメラＡで撮影を行い、撮影画像のリファレンス番号として、「００１．ｊｐｇ」を使用したとすると、このとき、外部通信部６２によって無線通信で近くのカメラＢ、Ｃに使用したリファレンス番号「００１．ｊｐｇ」に相当する情報を送信する。ここで、カメラＢ、Ｃでは自身で撮影した場合に、「００１．ｊｐｇ」のリファレンス番号を使用しないで次の「００２．ｊｐｇ」を使用する。そして、同様に、他のカメラに対して使用したリファレンス番号「００２．ｊｐｇ」に相当する情報を送信する。各カメラでこれを繰り返すことによって、複数のデジタルカメラ間で撮影された撮影画像をリファレンス番号順に並べることで、撮影画像を順番に並べることが可能となる。
【００９２】
続いて、本発明の第３実施形態に係わるデジタルカメラで行われるリファレンス番号付与処理について説明する。図８は、本発明の第２実施形態に係わるデジタルカメラのＣＰＵ４０で行われるリファレンス番号付与処理の一例を示すフローチャートである。なお、当該フローチャートは、操作部１８の操作によって複数のカメラ間のリファレンス番号を重複しないようにするリファレンス番号付与処理が指示された場合に行うものとする。
【００９３】
まずステップ３００では、複数カメラのグループ化が行われてステップ３０２へ移行する。例えば、操作部１８の所定の操作等によりグループ化するデジタルカメラと外部通信部６２を介して通信したりすることによって複数カメラをグループ化する。
【００９４】
ステップ３０２では、グループ内のデジタルカメラによって撮影が行われたか否かが判定される。該判定は、グループ内のデジタルカメラから離ファンレス番号に相当する信号を受信したか否かを判定し、該判定が肯定された場合にはステップ３０４へ移行し、否定された場合にはステップ３０６へ移行する。
【００９５】
ステップ３０４では、撮影を行ったグループ内のデジタルカメラから外部通信部６２を介して受信したリファレンス番号αが自分のカメラ内で使用禁止に設定されてステップ３０６へ移行する。
【００９６】
ステップ３０６では、撮影を行ったか否かが判定される。該判定は、レリーズボタン１８Ａが全押しされたか否かを判定し、該判定が肯定された場合にはステップ３０８へ移行し、否定された場合にはステップ３１０へ移行する。
【００９７】
ステップ３０８では、撮影画像のリファレンス番号がグループ内の他のデジタルカメラへ外部通信部６２を介して送信されてステップ３１０へ移行する。
【００９８】
ステップ３１０では、グループ化が解除されたか否か判定される。該判定は、操作部１８によってグループ化を解除する操作が行われたか否か等を判定し、該判定が否定された場合にはステップ３０２へ戻って上述の処理を繰り返し、判定が肯定された場合には一連のリファレンス番号付与処理を終了する。
【００９９】
すなわち、このように各デジタルカメラでリファレンス番号処理を行うことによって、各カメラのリファレンス番号を重複することなく、かつ各カメラ間で撮影順にリファレンス番号を付与することができるので、複数のデジタルカメラで撮影された撮影画像を順番に並べることが可能となる。
【０１００】
（第４実施形態）
第４実施形態では、複数のデジタルカメラのうち、時刻の正確度が最も高いデジタルカメラを基準とし、外部通信部６２を介して通信することで、他のデジタルカメラの時刻を修正するようにしたものである。
【０１０１】
本実施形態では、予め定めた基準（Master）カメラが外部通信部６２によって通信可能な範囲に近づいた場合に、時刻情報を基準カメラから取得して合わせる。例えば、図９のグループＡやグループＢでは、外部通信部６２によって通信可能な範囲内にそれぞれ予め設定した基準のカメラ（Master_A、Master_B）に各カメラが近づいた場合に、基準カメラの時刻を取得して各カメラの時刻を修正する。また、それまで撮影した撮影画像の時刻も修正する。
【０１０２】
さらに、基準カメラを有する複数のグループが合流したら、人数が最大のグループの基準カメラの時刻に他のカメラの時刻を合わせる。例えば、図９の例では、グループＡとグループＢが合流した場合には、Ａグループの基準カメラに時刻を合わせるようにし、既に撮影した撮影画像の時刻も修正する。
【０１０３】
詳細には、複数のデジタルカメラが半径βｍ（例えば、外部通信部６２の通信可能範囲）内に存在する場合に、時刻の正確度が最も高いカメラを基準カメラに設定して、基準カメラから時刻を取得して時刻の修正を行うと共に撮影画像の時刻についても修正するが、時刻の正確度は、例えば、充電量検出回路６４によって検出されたバッテリ残量等に応じて求めることができる。あるいは、時計周波数等から求めるようにしてもよい。
【０１０４】
また、外部通信部６２を介して通信することで、基準カメラに設定されたカメラが半径βｍ以内に複数存在する場合、すなわち、複数のグループが存在する場合には、グループ員数が多い方の基準カメラを基準に再設定して、基準カメラから時刻を取得して時刻と撮影時刻を修正する。
【０１０５】
続いて、本発明の第４実施形態に係わるデジタルカメラで行われる時刻修正処理について説明する。図１０は、本発明の第４実施形態に係わるデジタルカメラのＣＰＵ４０で行われる時刻修正処理の流れの一例を示すフローチャートである。なお、当該フローチャートは、所定の時間間隔等で開始されるようにしてもよいし、外部通信部６２によって他のカメラを検出した場合に開始するようにしてもよい。
【０１０６】
まずステップ４００では、複数のデジタルカメラが半径βｍ以内に存在するか否か判定される。該判定は、外部通信部６２によって通信可能な範囲にデジタルカメラが存在するか否かを判定し、該判定が否定された場合には一連の時刻修正処理を終了し、肯定された場合にはステップ４０２へ移行する。
【０１０７】
ステップ４０２では、時刻の正確度が最も高いカメラが基準（Master）に設定され、他をスレーブ（Slave）に設定されてステップ４０４へ移行する。例えば、充電量検出回路６４によって検出されたバッテリ残量を外部通信部６２を介して取得して最も多いものを基準カメラに設定し、ＶＲＡＭ３８等に当該情報を記憶する。
【０１０８】
ステップ４０４では、自カメラがスレーブか否か判定され、該判定が肯定された場合にはステップ４０６へ移行し、否定された場合にはステップ４１０へ移行する。
【０１０９】
ステップ４０６では、外部通信部６２を介して基準カメラから時刻が取得されて、ＲＴＣ６０の時刻が修正され、ステップ４０８へ移行する。
【０１１０】
ステップ４０８では、時刻修了量に応じて既に撮影された撮影画像の時刻が修正されて一連の時刻修正処理を終了する。これによって複数のデジタルカメラで撮影された撮影画像を順番に並べることが可能となる。なお、撮影画像の時刻の修正は元の時刻を修正してもよいし、元の時刻を残して修正量のみを付加するようにしてもよいし、元の時刻に加えて修正時刻を付加するようにしてもよい。
【０１１１】
一方、ステップ４１０では、半径β以内に別の基準カメラが存在するか否か判定される。該判定は、外部通信部６２によって通信可能な範囲に別の基準カメラが存在するか否かを判定し、該判定が否定された場合には一連の時刻修正処理を終了し、肯定された場合にはステップ４１２へ移行する。
【０１１２】
ステップ４１２では、スレーブ数の多い方の基準カメラが基準に再設定され、スレーブ数の少ない方の基準カメラがスレーブに再設定されてステップ４１４へ移行する。
【０１１３】
ステップ４１４では、再設定された基準カメラから外部通信部６２によって時刻を取得して、ＲＴＣ６０の時刻が修正されてステップ４１６へ移行する。
【０１１４】
ステップ４１６では、時刻修了量に応じて既に撮影された撮影画像の時刻が修正されて一連の時刻修正処理を終了する。これによって複数のデジタルカメラで撮影された撮影画像を順番に並べることが可能となる。なお、撮影画像の時刻の修正は元の時刻を修正してもよいし、元の時刻を残して修正量のみを付加するようにしてもよいし、元の時刻に加えて修正時刻を付加するようにしてもよい。
【０１１５】
すなわち、基準カメラの時刻に各スレーブのカメラの時刻を修正すると共に、撮影画像の時刻についても修正するので、複数のデジタルカメラで撮影された撮影画像を順番に並べることが可能となる。
【０１１６】
なお、上記の第１実施形態では、日中と夜間の画像の判定は、撮影画像の輝度で判定ｓるようにしたが、例えば、画像中の空領域と空の色成分等を用いて空領域を判断し、判断した空領域から日中か夜間かを判定するようにしてもよい。
【０１１７】
ここで、空領域を判断してから日中か夜間かを判定する第１実施形態の変形例について説明する。図１１は、本発明の第１実施形態の変形例を説明するための図である。
【０１１８】
空は日中明るく、夜間は暗い。そこで、変形例では第１実施形態と同様に、この空の明るさと時刻のつじつまがあわない場合に時刻がずれていることを警告する。
【０１１９】
明るさを判断するための材料としては撮影画像の空の輝度と撮影した時の露出条件（絞り値Ｆやシャッタ速度Ｓ）を用いることができる。すなわち、この２つの条件から空の明るさを認識する。例えば、任意の時刻を夜間と決定した場合に、夜間の空の輝度が一定閾値以上であった場合に時刻がずれていることを警告し、逆に任意時刻を日中と決定した場合に、日中の空の輝度が一定閾値以下であった場合に時刻がずれていることを警告する。
【０１２０】
変形例では、空の領域を判定するために、色成分と画像領域を用いて空を判別する。例えば、８ｂｉｔ換算で色成分の値が、赤＝０〜ｄ０、緑＝ａ０〜ｆｆ、青＝ａ０〜ｆｆ、かつ写真上部１／１０（例えば、図１１のＡ／１０）の領域を空として判別する。
【０１２１】
次に変形例のデジタルカメラで行われる時刻警告処理について説明する。図１２は、台１実施形態の変形例のデジタルカメラを起動する際にＣＰＵで行われる時刻警告処理の流れの一例を示すフローチャートである。なお、当該フローチャートは、操作部１８の操作によって時刻警告モードが予め選択されている場合に行われるものとしてもよい。なお、第１実施形態と同一処理については同一符号を付して説明する。
【０１２２】
まずステップ１００では、予め決定した日中と夜間の時刻領域がＲＯＭ４２から読み出されてステップ１０２へ移行する。
【０１２３】
ステップ１０２では、予め決定した日中の最小輝度ＥＶｔｈ１と夜間の最大輝度ＥＶｔｈ２がＲＯＭ４２から読み出されてステップ１０３へ移行する。
【０１２４】
ステップ１０３では、予め決定した空判断用の色成分値及び空領域の条件がＲＯＭ４２から読み出されてステップ１０４へ移行する。
【０１２５】
ステップ１０４では、スルー画像表示が行われてステップ１０６へ移行する。すなわち、ＣＣＤ２４によって撮像された画像が表示制御回路３６によってＬＣＤ２０に表示される。なお、この時、絞り値Ｆとシャッタ速度Ｓが決定される。
【０１２６】
ステップ１０６では、絞り値Ｆとシャッター速度Ｓから輝度ＥＶが上述の式によって算出されてステップ１０７へ移行する。
【０１２７】
ステップ１０７では、空領域があるか否か判定される。該判定は、ステップ１０３で読み出した空判断用の色成分値及び空領域の条件に合致する部分がスルー画像中にあるか否かを判定し、該判定が否定された場合には一連の時刻警告処理を終了し、肯定された場合にはステップ１０８へ移行する。
【０１２８】
ステップ１０８では、ＲＴＣ６０の現在時刻が日中か否か判定される。該判定は、ＲＴＣ６０の時刻がＲＯＭ４２から読み出した日中の時刻領域内か否かを判定し、該判定が肯定された場合にはステップ１１０へ移行し、否定された場合にはステップ１１４へ移行する。
【０１２９】
ステップ１１０では、算出した輝度ＥＶがＥＶｔｈ１以下か否か判定され、該判定が肯定された場合にはステップ１１２へ移行し、否定された場合には一連の時刻警告処理を終了する。
【０１３０】
ステップ１１２では、時計を設定するよう報知されて時刻警告処理を終了する。例えば、ＬＣＤ２０に時計を設定する旨を表示したり、時計があってないことを表す表示を行う。これによって、極端に時刻がずれている場合には、時刻修正をユーザに促すことができる。従って、ユーザによって時刻が修正されれば、複数のデジタルカメラで撮影された撮影画像を順番に並べることが可能となる。
【０１３１】
一方、ステップ１１４では、ＲＴＣ６０の現在時刻が夜間か否か判定される。該判定は、ＲＴＣ６０の時刻がＲＯＭ４２から読み出した夜間の時刻領域内か否かを判定し、該判定が肯定された場合にはステップ１１６へ移行し、否定された場合には一連の時刻警告処理を終了する。
【０１３２】
ステップ１１６では、算出した輝度ＥＶがＥＶｔｈ２以上か否か判定され、該判定が肯定された場合にはステップ１１２へ移行し、否定された場合には一連の時刻警告処理を終了する。
【０１３３】
なお、上記の各実施形態は、それぞれ別の実施形態として説明したが、これに限るものではなく、適宜組み合わせるようにしてもよい。例えば、各実施形態の各処理をそれぞれのモードとして操作部１８で選択可能なようにするようにしてもよい。例えば、４つの実施形態の各処理をモードで切り換える場合には、時刻警告処理モード、時刻差警告処理モード、リファレンス番号付与処理モード、時刻修正処理モードの各モードを操作部１８によって切り換え可能とし、操作部１８の操作に応じて各モードを実行するようにすればよい。
【図面の簡単な説明】
【０１３４】
【図１】本発明の実施の形態に係わるデジタルカメラの外観を示す図である。
【図２】本発明の実施の形態に係わるデジタルカメラの電気系の構成を示すブロック図である。
【図３】本発明の第１実施形態に係わるデジタルカメラで行われる時刻のずれの警告を説明するための図である。
【図４】本発明の第１実施形態に係わるデジタルカメラを起動する際にＣＰＵで行われる時刻警告処理の流れの一例を示すフローチャートである。
【図５】本発明の第２実施形態に係わるデジタルカメラで行われる時刻のずれの警告を説明するための図である。
【図６】本発明の第２実施形態に係わるデジタルカメラを起動する際にＣＰＵで行われる時刻差警告処理の流れの一例を示すフローチャートである。
【図７】本発明の第３実施形態に係わるデジタルカメラで行われる撮影画像のリファレンス番号の付与を説明するための図である。
【図８】本発明の第２実施形態に係わるデジタルカメラのＣＰＵ４０で行われるリファレンス番号付与処理の一例を示すフローチャートである。
【図９】本発明の第４実施形態に係わるデジタルカメラで行われる時刻の修正を説明するための図である。
【図１０】本発明の第４実施形態に係わるデジタルカメラのＣＰＵで行われる時刻修正処理の流れの一例を示すフローチャートである。
【図１１】本発明の第１実施形態の変形例のデジタルカメラで行われる時刻のずれの警告を説明するための図である。
【図１２】本発明の第１実施形態の変形例のデジタルカメラを起動する際にＣＰＵで行われる時刻警告処理の流れの一例を示すフローチャートである。
【符号の説明】
【０１３５】
１０    デジタルカメラ
１８    操作部
２０    ＬＣＤ
３６    表示制御回路
３８    ＶＲＡＭ
４０    ＣＰＵ
４２    ＲＯＭ
６０    ＲＴＣ
６２    外部通信部
６４    充電量検出回路
【図１】
2009086035.tif 000003
【図２】
2009086035.tif 000004
【図３】
2009086035.tif 000005
【図４】
2009086035.tif 000006
【図５】
2009086035.tif 000007
【図６】
2009086035.tif 000008
【図７】
2009086035.tif 000009
【図８】
2009086035.tif 000010
【図９】
2009086035.tif 000011
【図１０】
2009086035.tif 000012
【図１１】
2009086035.tif 000013
【図１２】
2009086035.tif 000014